(57)【特許請求の範囲】
【請求項１】
合成樹脂材料で有底筒状に形成されたボトルであって、
底部の底壁部は、
外周縁部に位置する接地部と、
該接地部にボトル径方向の内側から連なり上方に向けて延びる立ち上がり周壁部と、
該立ち上がり周壁部の上端部からボトル径方向の内側に向けて突出する環状の可動壁部と、
該可動壁部のボトル径方向の内端部から上方に向けて延びる陥没周壁部と、を備え、
前記可動壁部は、前記陥没周壁部を上方に向けて移動させるように、前記立ち上がり周壁部との接続部分を中心に回動自在に配設され、
肩部には、ボトル軸方向に間隔をあけて２つの補強溝が全周に亘って形成されていることを特徴とするボトル。
【請求項２】
請求項１に記載のボトルにおいて、
胴部には、該胴部の剛性を高める複数の周溝がボトル軸方向に間隔を開けて全周に亘って形成されていることを特徴とするボトル。
【請求項３】
請求項２に記載のボトルにおいて、
前記周溝は、ボトル内の減圧時に該胴部をボトル軸方向に収縮変形可能にさせることを特徴とするボトル。
【発明の詳細な説明】
【技術分野】
【０００１】
本発明は、ボトルに関するものである。
【背景技術】
【０００２】
従来から、合成樹脂材料で有底筒状に形成されたボトルとして、例えば下記特許文献１に示されるように、底部の底壁部が、外周縁部に位置する接地部と、該接地部にボトル径方向の内側から連なり上方に向けて延びる立ち上がり周壁部と、該立ち上がり周壁部の上端部からボトル径方向の内側に向けて突出する可動壁部と、該可動壁部のボトル径方向の内端部から上方に向けて延びる陥没周壁部と、を備え、可動壁部が陥没周壁部を上方に向けて移動させるように、立ち上がり周壁部との接続部分を中心に回動することにより、ボトル内の減圧を吸収する構成が知られている。
【先行技術文献】
【特許文献】
【０００３】
【特許文献１】特開２０１０−１２６１８４号公報
【発明の概要】
【発明が解決しようとする課題】
【０００４】
しかしながら、前記従来のボトルでは、ボトル内の減圧時に、肩部が例えばボトルの内側へ凹む等の変形が生じる恐れがあった。
【０００５】
そこで、本発明はこのような事情を考慮してなされたもので、その目的は、減圧時に肩部が変形し難いボトルを提供することである。
【課題を解決するための手段】
【０００６】
上記の目的を達成するために、この発明は以下の手段を提供している。
（１）本発明に係るボトルは、合成樹脂材料で有底筒状に形成されたボトルであって、底部の底壁部が、外周縁部に位置する接地部と、該接地部にボトル径方向の内側から連なり上方に向けて延びる立ち上がり周壁部と、該立ち上がり周壁部の上端部からボトル径方向の内側に向けて突出する環状の可動壁部と、該可動壁部のボトル径方向の内端部から上方に向けて延びる陥没周壁部と、を備え、前記可動壁部が、前記陥没周壁部を上方に向けて移動させるように、前記立ち上がり周壁部との接続部分を中心に回動自在に配設され、肩部には、ボトル軸方向に間隔をあけて２つの補強溝が全周に亘って形成されていることを特徴とする。
【０００７】
本発明に係るボトルによれば、ボトル内の減圧時、可動壁部の回動によって陥没周壁部が上方に移動することで減圧を吸収することができる。ところで、肩部には補強溝が形成され、これにより肩部の剛性が強化されているので、減圧時に肩部がボトルの内側に凹んでしまう等の不正変形を引き起こし難い。従って、ボトルの外観不良をなくすことができると共に品質を維持し易い。
【０００８】
（２）上記本発明に係るボトルにおいて、胴部には、該胴部の剛性を高める複数の周溝がボトル軸方向に間隔を開けて全周に亘って形成されていても良い。
【０００９】
この場合には、胴部の剛性も強化されているので、ボトル内の減圧時、肩部だけでなく胴部についてもボトルの内側に凹んでしまう等の不正変形を生じさせ難い。また、胴部の横方向荷重に対する剛性を確保することもできるので、該胴部に折れ曲がり等の不正変形も生じ難い。
【００１０】
（３）上記本発明に係るボトルにおいて、前記周溝が、ボトル内の減圧時に該胴部をボトル軸方向に収縮変形可能にさせても良い。
【００１１】
この場合には、ボトル内の減圧時、可動壁部の回動に起因する陥没周壁部の移動によって減圧を吸収することができることに加え、胴部の変形によって減圧をさらに吸収することができ、ボトル内の減圧吸収性能をより向上させることができる。
【発明の効果】
【００１２】
本発明に係るボトルによれば、減圧時に肩部の変形を抑制することができ、外観不良をなくして高品質なボトルとすることができる。
【図面の簡単な説明】
【００１３】
【図１】本発明の実施形態におけるボトルの側面図である。
【図２】図１に示すボトルの底面図である。
【図３】図２に示すＡ−Ａ線に沿ったボトルの断面図である。
【発明を実施するための形態】
【００１４】
以下、図面を参照し、本発明の実施形態に係るボトルを説明する。
本実施形態に係るボトル１は、図１から図３に示すように、口部１１、肩部１２、胴部１３及び底部１４を備え、これらがそれぞれの中心軸線を共通軸上に位置した状態でこの順に連設された概略構成とされている。
【００１５】
以下、前記共通軸をボトル軸Ｏといい、ボトル軸Ｏ方向に沿って口部１１側を上側、底部１４側を下側という。また、ボトル軸Ｏに直交する方向をボトル径方向といい、ボトル軸Ｏを中心に周回する方向をボトル周方向という。
なお、ボトル１は、射出成形により有底筒状に形成されたプリフォームがブロー成形されて形成され、合成樹脂材料で一体に形成されている。また、口部１１には、図示されないキャップが螺着される。更に、口部１１、肩部１２、胴部１３及び底部１４は、それぞれボトル軸Ｏに直交する横断面視形状が円形状とされている。
【００１６】
肩部１２は、上方から下方に向かうに従い漸次拡径されていると共に、ボトル径方向の外側に向けて突の曲面状に形成されている。また、肩部１２のボトル軸Ｏ方向に沿った長さは、後述するヒール部１７のボトル軸Ｏ方向の長さより長く、且つ胴部１３のボトル軸Ｏ方向の長さの約７０％程度とされている。
そして、この肩部１２には、ボトル軸Ｏ方向に間隔を開けて２つの補強溝１０が全周に亘って形成されている。これら補強溝１０は、肩部１２の剛性を高めるための溝部（凹リブ）とされている。
【００１７】
胴部１３は筒状に形成されていると共に、ボトル軸Ｏ方向の両端部同士の間がこれら両端部より小径に形成されている。この胴部１３には、ボトル軸Ｏ方向に間隔を開けて複数の第１環状凹溝（周溝）１５が形成されている。図示の例では、ボトル軸Ｏ方向に等間隔を開けて第１環状凹溝１５が４つ形成されている。各第１環状凹溝１５は、胴部１３の全周に亘って連続して形成された溝部とされ、胴部１３の剛性を高めると共にボトル１内の減圧時に該胴部１３をボトル軸Ｏ方向に収縮変形可能とさせている。
【００１８】
胴部１３と底部１４との接続部分には、第２環状凹溝２０が全周に亘って連続して形成されている。
底部１４は、上端開口部が胴部１３の下端開口部に接続されたヒール部１７と、ヒール部１７の下端開口部を閉塞し、且つ外周縁部が接地部１８とされた底壁部１９と、を備えるカップ状に形成されている。
【００１９】
ヒール部１７のうち、上記接地部１８にボトル径方向の外側から連なるヒール下端部２７は、該ヒール下端部２７に上方から連なる上ヒール部２８より小径に形成されている。なお、この上ヒール部２８は、胴部１３のボトル軸Ｏ方向の両端部と共にボトル１の最大外径部とされている。
また、ヒール下端部２７と上ヒール部２８との連結部分２９は、上方から下方に向かうに従い漸次縮径されており、これによりヒール下端部２７が上ヒール部２８より小径とされている。
【００２０】
底壁部１９は、図３に示すように、接地部１８にボトル径方向の内側から連なり上方に向けて延びる立ち上がり周壁部２１と、立ち上がり周壁部２１の上端部からボトル径方向の内側に向けて突出する環状の可動壁部２２と、可動壁部２２のボトル径方向の内端部から上方に向けて延びる陥没周壁部２３と、を備えている。
【００２１】
立ち上がり周壁部２１は、下方から上方に向かうに従い漸次縮径している。
可動壁部２２は、下方に向けて突の曲面状に形成されると共に、ボトル径方向の外側から内側に向かうに従い漸次下方に向けて延在している。この可動壁部２２と立ち上がり周壁部２１とは、上方に向けて突の曲面部２５を介して連結されている。そして、可動壁部２２は、陥没周壁部２３を上方に向けて移動させるように、上記曲面部（立ち上がり周壁部２１との接続部分）２５を中心に回動自在とされている。
【００２２】
また、可動壁部２２には、複数のリブ４０がボトル軸Ｏを中心に放射状に配設されている。即ち、各リブ４０はボトル周方向に沿って等間隔に配設されている。
なお、図示の例では、リブ４０は上方に向けて曲面状に窪んだ複数の凹部４０ａがボトル径方向に沿って断続的に、且つ直線状に延在することで構成されている。これにより、リブ４０は、ボトル径方向に沿う縦断面視形状が波形状に形成されている。
【００２３】
各凹部４０ａは、それぞれ同形同大に形成されていると共にボトル径方向に沿って等間隔に配置されている。そして、複数のリブ４０各々において、複数の凹部４０ａが配設されているボトル径方向に沿う各位置は同じになっている。
なお、各リブ４０において、複数の凹部４０ａのうち、最もボトル径方向の外側に位置する凹部４０ａが曲面部２５にボトル径方向の内側から近接し、最もボトル径方向の内側に位置する凹部４０ａが陥没周壁部２３にボトル径方向の外側から近接している。
【００２４】
陥没周壁部２３は、ボトル軸Ｏと同軸に配設されると共に、上方から下方に向かうに従い漸次拡径する横断面視円形状に形成されている。陥没周壁部２３の上端部には、ボトル軸Ｏと同軸に配置された円板状の頂壁２４が接続されており、陥没周壁部２３及び頂壁２４の全体で有頂筒状をなしている。
この陥没周壁部２３は、ボトル径方向の内側に向けて突の曲面状に形成され、上端部が頂壁２４の外周縁部に連設された湾曲壁部２３ａと、屈曲部２３ｂを介して上端部が湾曲壁部２３ａの下端部に連設された傾斜壁部２３ｃと、を備えている。傾斜壁部２３ｃは、上方から下方に向かうに従い漸次拡径し、その下端部が下方に向けて突の曲面部２６を介して可動壁部２２のボトル径方向の内端部に連設されている。
【００２５】
このように構成されたボトル１内が減圧すると、底壁部１９の曲面部２５を中心にして可動壁部２２が上方に向かって回動することで、可動壁部２２は陥没周壁部２３を上方に向けて持ち上げるように移動する。即ち、減圧時にボトル１の底壁部１９を積極的に変形させることで、ボトル１の内圧変化（減圧）を吸収することができる。
しかも、胴部１３には複数の第１環状凹溝１５が形成されているので該胴部１３がボトル軸Ｏ方向に収縮変形し易い。そのため、底壁部１９の変形による減圧吸収に加え、胴部１３の変形を利用してボトル１の内圧変化をさらに吸収することができるので、ボトル１内の減圧吸収性能を向上させることができる。
【００２６】
ところで、肩部１２には補強溝１０が形成され、これにより肩部１２の剛性が強化されているので、上記ボトル１内の減圧時に肩部１２がボトル１の内側に凹んでしまう等の不正変形を引き起こし難い。また、胴部１３についても第１環状凹溝１５が形成されているので、やはり剛性が強化されており、減圧時に胴部１３がボトル１の内側に凹んでしまう等の不正変形を引き起こし難い。
これらのことから、ボトル１の外観不良をなくすことができ、高品質なボトル１とすることができる。しかも、第１環状凹溝１５によって、胴部１３の横方向荷重に対する剛性も確保することができるので、該胴部１３に折れ曲がり等の不正変形も生じ難い。
【００２７】
なお、底壁部１９の可動壁部２２に複数のリブ４０が形成されているので可動壁部２２の表面積を増加させて受圧面積を増すことができ、可動壁部２２をボトル１の内圧変化に速やかに対応して変形させることができる。
【００２８】
なお、本発明の技術範囲は、上記実施形態に限定されるものではなく、本発明の趣旨を逸脱しない範囲において、種々の変更を加えることが可能である。
【００２９】
例えば、上記実施形態では、肩部１２に２つの補強溝１０を形成したが、１つでも構わないし、３つ以上形成しても構わない。
また、胴部１３がボトル軸Ｏ方向に収縮変形可能となるように、第１環状凹溝１５を形成したが、この凹溝１５は設けなくても良く、胴部１３が収縮変形可能とされていなくても構わない。なお、このように第１環状凹溝１５を形成した場合には、可動壁部２２に加えて胴部１３の変形によってもボトル１内に生じた負圧（減圧）を吸収することができるので、さらに肩部１２への前記負圧の影響を抑制することができる。
【００３０】
また、上記実施形態ではリブ４０を放射状に断続的に延在させたが、これに限らず、連続的に延在させても良いし、湾曲して延在させても良い。また、凹部４０ａの形状や大きさは、適宜設計変更が可能である。
また、立ち上がり周壁部２１は、例えばボトル軸Ｏ方向に沿って平行に延在させる等、適宜変更しても良い。また、可動壁部２２は、例えばボトル径方向に沿って平行に突出させたり、上方に傾斜させたり等、適宜変更しても良い。さらにまた、可動壁部２２は、例えば平面状若しくは上方に向けて窪む凹曲面状に形成する等、適宜変更しても良い。
【００３１】
また、ボトル１を形成する合成樹脂材料は、例えばポリエチレンテレフタレートや、ポリエチレンナフタレート、非晶性ポリエステル等、またはこれらのブレンド材料等、適宜変更しても良い。更に、ボトル１は単層構造体に限らず中間層を有する積層構造体としても良い。なお、中間層としては例えばガスバリア性を有する樹脂材料からなる層、再生材からなる層、若しくは酸素吸収性を有する樹脂材料からなる層等が挙げられる。
【００３２】
また、上記実施形態では、肩部１２、胴部１３及び底部１４のそれぞれのボトル軸Ｏに直交する横断面視形状を円形状としたが、これに限らず例えば、多角形状にする等適宜変更しても良い。
【符号の説明】
【００３３】
Ｏ…ボトル軸
１…ボトル
１０…補強溝
１２…肩部
１３…胴部
１４…底部
１５…第２凹状溝部（周溝）
１８…接地部
１９…底部の底壁部
２１…立ち上がり周壁部
２２…可動壁部
２３…陥没周壁部
２５…曲面部（可動壁部と立ち上がり周壁部との接続部分）
【図１】
0005645603.tif 000002
【図２】
0005645603.tif 000003
【図３】
0005645603.tif 000004